(57)【要約】【課題】  複数のビームを用いてＤＶＤ±Ｒディスクに情報を記録する場合に、補助受光部の数を増やすことなく、正確かつ安定にトラッキング制御を行う。【解決手段】  本発明の光ピックアップ装置には、メインビームからトラッキング用メインビームを分離するとともに、メインビームよりも光の強度の小さいサブビームからトラッキング用サブビームを分離する分離手段と、トラッキング用メインビームおよびトラッキング用サブビームを受光する受光手段６とが備えられている。そして、この受光手段６には、トラッキング用メイン受光部Ｃ・Ｄ、トラッキング用サブ受光部Ｅ・Ｆ・Ｇ・Ｈ、および、補助受光部Ｖ・Ｗ・Ｘ・Ｙが備えられている。この補助受光部は、トラッキングサーボ信号に誤差が生ずることを抑制するための誤差量算出用の受光部であり、補助受光部の受光面積は、上記トラッキング用サブ受光部の受光面積よりも小さくなっている。【選択図】  図１
2005317162.tif 000002
【特許請求の範囲】
【請求項１】
複数の情報記録層が積層された記録媒体から反射され、集光手段を通過したメインビームから、少なくともトラッキングサーボ信号を求めるためのトラッキング用メインビームを分離するとともに、
上記記録媒体から反射され、上記集光手段を通過した上記メインビームよりも光の強度の小さいサブビームから、少なくともトラッキングサーボ信号を求めるためのトラッキング用サブビームを分離する分離手段と、
上記トラッキング用メインビームおよびトラッキング用サブビームを受光する受光手段とを備える光ピックアップ装置であって、
上記受光手段は、上記トラッキング用メインビームを受光するトラッキング用メイン受光部、上記トラッキング用サブビームを受光するトラッキング用サブ受光部、および、トラッキングサーボ信号に誤差が生ずることを抑制するための誤差量算出用の受光部として、情報の記録／再生を行っている上記情報記録層以外の情報記録層で反射された光ビームのみを受光する補助受光部を有しており、
上記補助受光部の受光面積は、上記トラッキング用サブ受光部の受光面積よりも小さいことを特徴とする光ピックアップ装置。
【請求項２】
上記分離手段は、上記メインビームおよびサブビームを、それぞれ２つ以上の上記トラッキング用メインビームまたはトラッキング用サブビームに分離するとともに、
上記受光手段には、この２つ以上に分離された上記トラッキング用メインビーム、または、トラッキング用サブビームのそれぞれに対応して、トラッキング用メイン受光部、トラッキング用サブ受光部、および、補助受光部が設けられており、
この２つ以上に分離された上記トラッキング用メインビーム、または、トラッキング用サブビームのそれぞれに対応して設けられた各補助受光部の面積は、互いに異なっていることを特徴とする請求項１に記載の光ピックアップ装置。
【請求項３】
複数の情報記録層が積層された記録媒体から反射され、集光手段を通過したメインビームから、少なくともトラッキングサーボ信号を求めるためのトラッキング用メインビームを分離するとともに、
上記記録媒体から反射され、上記集光手段を通過した上記メインビームよりも光の強度の小さいサブビームから、少なくともトラッキングサーボ信号を求めるためのトラッキング用サブビームを分離する分離手段と、
上記トラッキング用メインビームおよびトラッキング用サブビームを受光する受光手段とを備える光ピックアップ装置であって、
上記受光手段は、上記トラッキング用メインビームを受光するトラッキング用メイン受光部、上記トラッキング用サブビームを受光するトラッキング用サブ受光部、および、トラッキングサーボ信号に誤差が生ずることを抑制するための誤差量算出用の受光部として、情報の記録／再生を行っている上記情報記録層以外の情報記録層で反射された光ビームのみを受光する補助受光部を有するとともに、
上記受光手段は、上記の各受光部が受光した光量に基づいてトラッキングサーボ信号を算出する演算回路と接続されており、
上記演算回路には、上記の各受光部が受光した光量に基づいて出力された信号にゲインを付加するゲイン調整器が備えられ、かつ、
上記ゲイン調整器は、上記トラッキング用サブ受光部に由来する信号に付加するゲインよりも小さなゲインを、上記補助受光部に由来する信号に付加することを特徴とする光ピックアップ装置。
【請求項４】
上記分離手段は、上記メインビームおよびサブビームを、それぞれ２つ以上の上記トラッキング用メインビームまたはトラッキング用サブビームに分離するとともに、
上記受光手段には、この２つ以上に分離された上記トラッキング用メインビーム、または、トラッキング用サブビームのそれぞれに対応して、トラッキング用メイン受光部、トラッキング用サブ受光部、および、補助受光部が設けられており、
上記ゲイン調整器が、この２つ以上に分離された上記トラッキング用メインビーム、または、トラッキング用サブビームのそれぞれに対応して設けられた各補助受光部に由来する信号に対して付加する各ゲインは、互いに異なっていることを特徴とする請求項３に記載の光ピックアップ装置。
【請求項５】
上記分離手段は、上記集光手段から見て、情報の記録／再生を行っている上記情報記録層よりも遠い情報記録層で反射されたメインビームおよびサブビームが集光される領域を除く領域で、トラッキング用メインビームおよびトラッキング用サブビームを分離するものであることを特徴とする請求項１または３に記載の光ピックアップ装置。
【請求項６】
上記補助受光部は、上記トラッキング用サブ受光部と隣り合って配置されていることを特徴とする請求項１または３に記載の光ピックアップ装置。
【請求項７】
上記光ピックアップ装置は、差動プッシュプル法を用いてトラッキングサーボ信号を得ることを特徴とする請求項１または３に記載の光ピックアップ装置。
【請求項８】
上記分離手段は、ホログラムであることを特徴とする請求項１または３に記載の光ピックアップ装置。
【請求項９】
上記光ピックアップ装置には、
記録媒体に対して光ビームを照射する光源と、
上記光源から照射された光ビームから１つのメインビームと、２つのサブビームとを生成する生成手段とがさらに備えられていることを特徴とする請求項１または３に記載の光ピックアップ装置。
【請求項１０】
上記光ピックアップ装置は、上記分離手段と、上記受光手段と、上記光源と、上記生成手段とが一体化された構成となっていることを特徴とする請求項１または３に記載の光ピックアップ装置。
【請求項１１】
請求項１〜１０のいずれか１項に記載の光ピックアップ装置を備えることを特徴とする情報記録／再生装置。
【発明の詳細な説明】
【技術分野】
【０００１】
本発明は、光ディスク等の記録媒体に対して光学的に情報を記録または再生する光ディスク装置（情報記録／再生装置）およびそれに用いられる光ピックアップ装置に関するものである。
【背景技術】
【０００２】
高精細の動画像を記録するには、１枚の光ディスク（記録媒体）に記録できる容量を増大させる必要があり、そのために、光ディスクに複数の記録層（情報記録層）を設けることが考えられている。現在、ＤＶＤ−ＲＯＭ、または、ＤＶＤ−Ｖｉｄｅｏ等の読出し専用ディスクでは、既に片面２層記録のものが商品化されており、市場に普及している。また、情報を記録可能な光ディスクにおいても片面２層記録の光ディスクの規格が発表されており、商品化も時間の問題である。
【０００３】
ところで、複数の記録層を有する光ディスクの場合には、情報の記録／再生を行っている記録層以外の記録層（以下、目的外層と称する）からの不要反射光（迷光）が問題となる。具体的には、情報の記録／再生を行っている記録層（以下、目的層と称する）で反射された光と目的外層で反射された光とが重なった状態で、光を検出した場合には、正確な光量を求めることができなくなる。
【０００４】
このような問題に対しては、例えば、特許文献１、２に開示の技術が提案されている。
【０００５】
上記特許文献１では、記録層で反射された光を受光する受光部に、目的層で反射した光を受光する主受光領域以外に、目的外層で反射された光のみを受光する補助受光領域を設けることで、迷光成分のみの影響を検出して、フォーカス信号に混入する迷光の影響を抑制する手法が開示されている。
【０００６】
また、特許文献２では、上記特許文献１と同じく、目的外層からの反射光（迷光）を受光する補助受光部を設けることで、再生信号、および、フォーカス信号のクロストークを抑制する手法が開示されている。
【特許文献１】特許第３３７２４１３号（特開平９-０１６１２８２号公報（公開日；１９９７年６月２０日））
【特許文献２】特開２００２−３１９１７７公報（公開日；２００２年１０月３１日）
【発明の開示】
【発明が解決しようとする課題】
【０００７】
ところで、読み出し（再生）専用ディスクと異なり、記録型ディスクの場合、トラッキング信号へのクロストークが問題となってくる。
【０００８】
そのため、記録型ディスクの場合、トラッキング方式として、３ビーム（１つのメインビームと２つのサブビーム）を用いた差動プッシュプル法（以下、ＤＰＰと呼ぶ）が一般的に採用されている。ＤＰＰ法とは、メインビームのプッシュプル信号と前後サブビームのプッシュプル信号との差動をとることで、オフセットの無いトラッキング信号を得る方式である。
【０００９】
そして、例えば、上記３ビームを用いて、ＤＶＤ±Ｒディスクに情報を記録する場合、記録速度は、メインビームの光強度の二乗に比例するため、高速記録するには、メインビームの光強度をできるだけ大きくする必要がある。そこで、上記ＤＶＤ±Ｒディスクに情報を記録する場合には、メインビームとサブビームの強度比を、例えば、１０：１や１５：１に設定するために、サブビームの光強度はかなり小さくなってしまう。従って、上記サブビームを検出する検出器（受光部）は、メインビームよりも非常に小さい光強度の光ビームを検出することとなる。
【００１０】
一方、複数の記録層が積層された光ディスクに対して、情報の再生または情報の記録を行う場合、情報を再生（記録）する層以外の目的外層で反射した反射光が迷光として受光部に入射する。これら迷光には、メインビームの迷光もサブビームの迷光も含まれることとなる。そして、上記迷光は、記録層の層間隔分だけディフォーカスした光のために、集光光学系を通過し、受光部に入射する際には、絞られることなく、情報を再生（記録）する層から照射される光ビームと比べて、かなり大きな光ビームの状態で照射されることとなる。このように広範囲にわたって照射される迷光は、トラッキング制御用に設けられた各受光部に入射し、トラッキングサーボ信号を算出する場合の誤差となって、正確なトラッキング制御の妨げとなってしまう。
【００１１】
このような迷光の光密度（単位面積当りの光量）は、メインビームおよびサブビーム自身の光量と比較すれば、かなり小さい。しなしながら、メインビームはサブビームと比較して、もともとの光強度が大きく設定されているいため、メインビームに由来する迷光は、トラッキング制御に少なからず悪影響を及ぼす。
【００１２】
そこで、上記３ビームを用いてＤＶＤ±Ｒディスクに情報を記録する場合に、特許文献１、２に開示されている技術を用いて迷光による誤差を抑制しようとすると、目的外層で反射された光のみを受光する補助受光部を、上記３ビームそれぞれのトラッキング用ビームを検出する各受光部に対してそれぞれ設けることが必要となる。しかし、このように補助受光部を各トラッキングビーム用受光部に対してそれぞれ設けることによって、受光手段全体の面積が大型化してしまうとともに、これらに付随する回路の複雑化を招いてしまうという問題が発生する。
【００１３】
本発明は、上記の問題点に鑑みてなされたものであって、その目的は、複数のビームを用いてＤＶＤ±Ｒディスクに情報を記録する場合に、補助受光部の数を増やすことなく、正確かつ安定にトラッキング制御を行える光ピックアップ装置、および、情報記録／再生装置を提供することにある。
【課題を解決するための手段】
【００１４】
本発明にかかる光ピックアップ装置は、上記の課題を解決するために、複数の情報記録層が積層された記録媒体から反射され、集光手段を通過したメインビームから、少なくともトラッキングサーボ信号を求めるためのトラッキング用メインビームを分離するとともに、上記記録媒体から反射され、上記集光手段を通過した上記メインビームよりも光の強度の小さいサブビームから、少なくともトラッキングサーボ信号を求めるためのトラッキング用サブビームを分離する分離手段と、上記トラッキング用メインビームおよびトラッキング用サブビームを受光する受光手段とを備える光ピックアップ装置であって、上記受光手段は、上記トラッキング用メインビームを受光するトラッキング用メイン受光部、上記トラッキング用サブビームを受光するトラッキング用サブ受光部、および、トラッキングサーボ信号に誤差が生ずることを抑制するための誤差量算出用の受光部として、情報の記録／再生を行っている上記情報記録層以外の情報記録層で反射された光ビームのみを受光する補助受光部を有しており、上記補助受光部の受光面積は、上記トラッキング用サブ受光部の受光面積よりも小さいことを特徴とするものである。
【００１５】
情報の記録／再生（記録および／または再生）を行っている上記情報記録層以外の情報記録層（以下、目的外層と称する）から反射された光ビーム（メインビームおよびサブビーム）は、光路長の差のために、集光手段を通過し、情報の記録／再生（記録および／または再生）を行っている情報記録層（以下、目的層と称する）から反射された光ビームと比べて、受光手段に照射される面積が大きくなる。従って、目的外層で反射された光ビームは、目的層で反射された光ビームよりも、単位面積あたりの光の強度は小さい。
【００１６】
しかしながら、メインビームは、サブビームよりも光の強度が強くなっており、上記目的外層で反射されたメインビームは、目的層で反射されたサブビームの光強度と近くなっている。そのため、この目的外層で反射されたメインビームが、トラッキングサーボ信号を得るために設けられたトラッキング用サブ受光部およびトラッキング用メイン受光部に入射すると、入射する光量に誤差が生じ、正確なトラッキング信号を得ることができない。
【００１７】
そこで、本発明の光ピックアップ装置には、トラッキングサーボ信号に誤差が生ずることを抑制するための誤差量算出用の受光部として、情報の記録／再生を行っている上記情報記録層以外の情報記録層で反射された光ビーム（すなわち、目的外層で反射された光ビーム）のみを受光する補助受光部が設けられている。
【００１８】
ところで、本発明の光ピックアップ装置のように、メインビームおよびサブビームの両方を用いてトラッキング信号を求める場合には、トラッキング用サブ受光部およびトラッキング用メイン受光部のそれぞれに対して誤差量算出用の補助受光部を設けることが必要になる。しかし、トラッキング用サブ受光部およびトラッキング用メイン受光部のそれぞれに対して補助受光部を設けると、受光手段全体の面積が大型化するとともに、各受光部に付随する回路の複雑化を招き、結果としてコストアップにつながってしまう。
【００１９】
そこで、本発明のピックアップ装置においては、上記補助受光部の受光面積を、上記トラッキング用サブ受光部の受光面積よりも小さくすることによって、トラッキング用サブ受光部およびトラッキング用メイン受光部において入射した光量に含まれる目的外層で反射された光ビーム（迷光）の光量（つまり、誤差量）をより正確に相殺できるようにしている。これによって、トラッキングサーボ信号を求める場合に発生するオフセットをより確実に相殺し、より正確なトラッキングサーボ信号を得ることができる。なお、上記受光面積とは、実際に光ビームを受光している領域を示す。
【００２０】
上記の構成によれば、トラッキングサーボ信号を算出する際に、補助受光部をトラッキング用メイン受光部およびトラッキング用サブ受光部のそれぞれに対して設けることなく、両方に入射した迷光による誤差の発生を抑制することができる。これによって、受光手段全体の面積が大型化することなく、また、各受光部に付随する回路の複雑化を招くことなく、より正確なトラッキングサーボ信号を得ることができる。
【００２１】
そして、例えば３ビームを用いてＤＶＤ±Ｒディスクに情報を記録する場合などのように、複数のビームを用いて情報の記録を行う場合に、補助受光部の数を増やすことなく、正確かつ安定にトラッキング制御を行うことができる。
【００２２】
本発明の光ピックアップ装置は、上記の構成に加えて、上記分離手段は、上記メインビームおよびサブビームを、それぞれ２つ以上の上記トラッキング用メインビームまたはトラッキング用サブビームに分離するとともに、上記受光手段には、この２つ以上に分離された上記トラッキング用メインビーム、または、トラッキング用サブビームのそれぞれに対応して、トラッキング用メイン受光部、トラッキング用サブ受光部、および、補助受光部が設けられており、この２つ以上に分離された上記トラッキング用メインビーム、または、トラッキング用サブビームのそれぞれに対応して設けられた各補助受光部の面積は、互いに異なっていてもよい。
【００２３】
上記の構成によれば、分離手段で２つ以上のビームに分離されたトラッキング用メインビームの迷光のビーム径が異なっており、各ビーム径に応じて異なる誤差が生じた場合にも、各補助受光部の面積が異なっていることによって、各ビーム径に応じた誤差量を算出することができる。したがって、より正確なトラッキング制御を行うことができる。
【００２４】
なお、各補助受光部の面積は、自身に入射する迷光の単位面積あたりの光量に応じて決めることがより好ましい。
【００２５】
また、本発明にかかる光ピックアップ装置は、上記に課題を解決するために、複数の情報記録層が積層された記録媒体から反射され、集光手段を通過したメインビームから、少なくともトラッキングサーボ信号を求めるためのトラッキング用メインビームを分離するとともに、上記記録媒体から反射され、上記集光手段を通過した上記メインビームよりも光の強度の小さいサブビームから、少なくともトラッキングサーボ信号を求めるためのトラッキング用サブビームを分離する分離手段と、上記トラッキング用メインビームおよびトラッキング用サブビームを受光する受光手段とを備える光ピックアップ装置であって、上記受光手段は、上記トラッキング用メインビームを受光するトラッキング用メイン受光部、上記トラッキング用サブビームを受光するトラッキング用サブ受光部、および、トラッキングサーボ信号に誤差が生ずることを抑制するための誤差量算出用の受光部として、情報の記録／再生を行っている上記情報記録層以外の情報記録層で反射された光ビームのみを受光する補助受光部を有するとともに、上記受光手段は、上記の各受光部が受光した光量に基づいてトラッキングサーボ信号を算出する演算回路と接続されており、上記演算回路には、上記の各受光部が受光した光量に基づいて出力された信号にゲインを付加するゲイン調整器が備えられ、かつ、上記ゲイン調整器は、上記トラッキング用サブ受光部に由来する信号に付加するゲインよりも小さなゲインを、上記補助受光部に由来する信号に付加することを特徴とするものである。
【００２６】
情報の記録／再生（記録および／または再生）を行っている上記情報記録層以外の情報記録層（以下、目的外層と称する）から反射された光ビーム（メインビームおよびサブビーム）は、光路長の差のために、集光手段を通過し、情報の記録／再生（記録および／または再生）を行っている情報記録層（以下、目的層と称する）から反射された光ビームと比べて、受光手段に照射される面積が大きくなる。従って、目的外層で反射された光ビームは、目的層で反射された光ビームよりも、単位面積あたりの光の強度は小さい。
【００２７】
しかしながら、メインビームは、サブビームよりも光の強度が強くなっており、上記目的外層で反射されたメインビームは、目的層で反射されたサブビームの光強度と近くなっている。そのため、この目的外層で反射されたメインビームが、トラッキングサーボ信号を得るために設けられたトラッキング用サブ受光部およびトラッキング用メイン受光部に入射すると、入射する光量に誤差が生じ、正確なトラッキング信号を得ることができない。
【００２８】
そこで、本発明の光ピックアップ装置には、トラッキングサーボ信号に誤差が生ずることを抑制するための誤差量算出用の受光部として、情報の記録／再生を行っている上記情報記録層以外の情報記録層で反射された光ビーム（すなわち、目的外層で反射された光ビーム）のみを受光する補助受光部が設けられている。
【００２９】
ところで、本発明の光ピックアップ装置のように、メインビームおよびサブビームの両方を用いてトラッキング信号を求める場合には、トラッキング用サブ受光部およびトラッキング用メイン受光部のそれぞれに対して誤差量算出用の補助受光部を設けることが必要になる。しかし、トラッキング用サブ受光部およびトラッキング用メイン受光部のそれぞれに対して補助受光部を設けると、受光手段全体の面積が大型化するとともに、各受光部に付随する回路の複雑化を招き、結果としてコストアップにつながってしまう。
【００３０】
そこで、本発明の光ピックアップ装置には、各受光部が受光した光量に基づいてトラッキングサーボ信号を算出する演算回路が受光手段と接続されており、上記演算回路には、各受光部から出された信号にゲインを付加するゲイン調整器が備えられている。そして、上記ゲイン調整器は、トラッキング用サブ受光部に由来する信号に付加するゲインよりも小さなゲインを、補助受光部に由来する信号に付加するようになっている。
【００３１】
これによって、トラッキング用サブ受光部およびトラッキング用メイン受光部において入射した光量に含まれる目的外層で反射された光ビーム（迷光）の光量（つまり、誤差量）をより正確に相殺できるようにしている。そのため、トラッキングサーボ信号を求める場合に発生するオフセットをより確実に相殺し、より正確なトラッキングサーボ信号を得ることができる。
【００３２】
上記の構成によれば、トラッキングサーボ信号を算出する際に、補助受光部をトラッキング用メイン受光部およびトラッキング用サブ受光部のそれぞれに対して設けることなく、両方に入射した迷光による誤差の発生を抑制することができる。これによって、受光手段全体の面積が大型化することなく、また、各受光部に付随する回路の複雑化を招くことなく、より正確なトラッキングサーボ信号を得ることができる。
【００３３】
そして、例えば３ビームを用いてＤＶＤ±Ｒディスクに情報を記録する場合などのように、複数のビームを用いて情報の記録を行う場合に、補助受光部の数を増やすことなく、正確かつ安定にトラッキング制御を行うことができる。
【００３４】
本発明の光ピックアップ装置は、上記の構成に加えて、上記分離手段は、上記メインビームおよびサブビームを、それぞれ２つ以上の上記トラッキング用メインビームまたはトラッキング用サブビームに分離するとともに、上記受光手段には、この２つ以上に分離された上記トラッキング用メインビーム、または、トラッキング用サブビームのそれぞれに対応して、トラッキング用メイン受光部、トラッキング用サブ受光部、および、補助受光部が設けられており、上記ゲイン調整器が、この２つ以上に分離された上記トラッキング用メインビーム、または、トラッキング用サブビームのそれぞれに対応して設けられた各補助受光部に由来する信号に対して付加する各ゲインは、互いに異なっていてもよい。
【００３５】
上記の構成によれば、分離手段で２つ以上のビームに分離されたトラッキング用メインビームの迷光のビーム径が異なっており、各ビーム径に応じて異なる誤差が生じた場合にも、ゲイン調整器によって付加される各ゲインが異なっていることによって、各ビーム径に応じた誤差量を算出することができる。したがって、より正確なトラッキング制御を行うことができる。
【００３６】
なお、各補助受光部に由来する信号に対して付加される各ゲインは、各補助受光部に入射する迷光の単位面積あたりの光量に応じて決めることがより好ましい。
【００３７】
本発明の光ピックアップ装置は、上記の構成に加えて、上記分離手段は、上記集光手段から見て、情報の記録／再生を行っている上記情報記録層よりも遠い情報記録層で反射されたメインビームおよびサブビームが集光される領域を除く領域で、トラッキング用メインビームおよびトラッキング用サブビームを分離するものであってもよい。
【００３８】
上記目的外層のうち、上記目的層よりも上記集光手段から遠い情報記録層で反射された光ビームは、当該光ビームの光路長の差により、分離手段上に、目的層で反射され分離手段に集光された光ビームの領域に比べて、小さい領域に集光されることとなる。上記の構成によれば、上記分離手段は、上記集光手段から見て、上記目的層よりも遠い情報記録層で反射された光ビームが集光される領域以外の領域（つまり、上記小さい領域を除く領域）を用いてトラッキング用光ビームを分離している。これにより、上記目的層よりも上記集光手段から遠い情報記録層で反射された光ビームが、トラッキング受光手段に照射されることを防止することができる。従って、上記目的層よりも上記集光手段から遠い情報記録層で反射された光ビーム（迷光）のみを受光するための補助受光部を設ける必要がない。
【００３９】
なお、上記分離手段は、上記記録媒体で反射された光ビームの光軸付近の領域を除く領域でトラッキング用光ビーム（トラッキング用メインビームおよびトラッキング用サブビーム）を分離するものである構成としてもよい。
【００４０】
また、上記トラッキング受光手段は、上記分離手段がメインビームおよびサブビームを分離する分離領域のうち、上記集光手段から見て、情報の記録／再生を行っている上記情報記録層よりも遠い情報記録層で反射されたメインビームおよびサブビームが当該分離手段に集光される領域を除く領域で分離されたメインビームおよびサブビームを受光する構成としてもよい。
【００４１】
本発明の光ピックアップ装置において、上記補助受光部は、上記トラッキング用サブ受光部と隣り合って配置されていてもよい。
【００４２】
上記の構成によれば、補助受光部がトラッキング用サブ受光部と隣り合って配置されていることよって、トラッキング用サブ受光部が受光した迷光の光密度を正確に得ることができる。そして、上記補助受光部の受光面積が、上記トラッキング用サブ受光部の受光面積よりも小さくなっていることで、トラッキング用メイン受光部が受光した迷光による誤差についても相殺することができる。
【００４３】
上記光ピックアップ装置は、差動プッシュプル法を用いてトラッキングサーボ信号を得るものであってもよい。
【００４４】
本発明の光ピックアップ装置では、補助受光部の受光面積を、トラッキング用サブ受光部の受光面積よりも小さくしている。そして、本発明の光ピックアップ装置が、上記のように、差動プッシュプル法を用いてトラッキングサーボ信号を得るものであれば、層間クロストークを除去する場合に、補助受光部から検出された光量を用いて、トラッキング用サブ受光部に発生するオフセットとトラッキング用メイン受光部に発生するオフセットとを併せた形で層間クロストークを除去することができる。つまり、トラッキング用メイン受光部、トラッキング用サブ受光部のそれぞれに対応した補助受光部を設けることなく、１つの補助受光部のみで、トラッキングサーボ信号を求める場合に発生するオフセットをより確実に相殺し、より正確なトラッキングサーボ信号を得ることができる。
【００４５】
本発明の光ピックアップ装置において、上記分離手段は、ホログラムであってもよい。
【００４６】
上記の構成とすることにより、簡単な構成で、光ビームを分離することができるので、装置の小型化を図ることができる。
【００４７】
また、本発明の光ピックアップ装置には、記録媒体に対して光ビームを照射する光源と、上記光源から照射された光ビームから１つのメインビームと、２つのサブビームとを生成する生成手段とがさらに備えられていてもよい。
【００４８】
上記の構成によれば、３ビームを用いた差動プッシュプル法を用いて、正確なトラッキングサーボ信号を得ることができる。
【００４９】
また、本発明の光ピックアップ装置は、上記分離手段と、上記受光手段と、上記光源と、上記生成手段とが一体化された構成となっていてもよい。
【００５０】
上記の構成によれば、上記分離手段と受光手段と光源と生成手段とが一体化されているので、光ピックアップ装置を小型化することができる。
【００５１】
また、本発明にかかる情報記録／再生装置は、上記のいずれかの光ピックアップ装置を備えることを特徴とするものである。
【００５２】
上記の構成によれば、上記の光ピックアップ装置を備えているので、複数の情報記録層を有する記録媒体であっても、良好に情報の再生／記録を行うことができる。
【発明の効果】
【００５３】
本発明にかかる光ピックアップ装置は、以上のように、上記受光手段が、上記トラッキング用メインビームを受光するトラッキング用メイン受光部、上記トラッキング用サブビームを受光するトラッキング用サブ受光部、および、トラッキングサーボ信号に誤差が生ずることを抑制するための誤差量算出用の受光部として、情報の記録／再生を行っている上記情報記録層以外の情報記録層で反射された光ビームのみを受光する補助受光部を有しており、上記補助受光部の受光面積は、上記トラッキング用サブ受光部の受光面積よりも小さいことを特徴としている。
【００５４】
また、本発明にかかる光ピックアップ装置は、以上のように、上記受光手段が、上記トラッキング用メインビームを受光するトラッキング用メイン受光部、上記トラッキング用サブビームを受光するトラッキング用サブ受光部、および、トラッキングサーボ信号に誤差が生ずることを抑制するための誤差量算出用の受光部として、情報の記録／再生を行っている上記情報記録層以外の情報記録層で反射された光ビームのみを受光する補助受光部を有するとともに、上記受光手段は、上記の各受光部が受光した光量に基づいてトラッキングサーボ信号を算出する演算回路と接続されており、上記演算回路には、上記の各受光部が受光した光量に基づいて出力された信号にゲインを付加するゲイン調整器が備えられ、かつ、上記ゲイン調整器は、上記トラッキング用サブ受光部に由来する信号に付加するゲインよりも小さなゲインを、上記補助受光部に由来する信号に付加することを特徴としている。
【００５５】
上記のいずれかの構成によれば、トラッキングサーボ信号を算出する際に、補助受光部をトラッキング用メイン受光部およびトラッキング用サブ受光部のそれぞれに対して設けることなく、両方に入射した迷光による誤差の発生を抑制することができる。これによって、受光手段全体の面積が大型化することなく、また、各受光部に付随する回路の複雑化を招くことなく、より正確なトラッキングサーボ信号を得ることができるという効果を奏する。
【発明を実施するための最良の形態】
【００５６】
〔実施の形態１〕
本発明の実施の形態１について説明すると以下の通りである。本実施の形態にかかる光ピックアップ装置は、光ディスク等の記録媒体に対して光学的に情報を記録または再生する光ディスク装置（情報記録／再生装置）に備えられたものである。そして、この光ピックアップ装置は、記録媒体に対して情報の記録を行う場合、３ビーム（１つのメインビームと２つのサブビーム）を用いた差動プッシュプル法（以下、ＤＰＰと呼ぶ）によってトラッキング制御を行うものである。
【００５７】
なお、以下の説明では、複数の記録層を有する記録媒体のうち、光ピックアップ装置にて情報の記録／再生を行っている記録層以外の記録層を目的外層、情報の記録／再生を行っている記録層を目的層として説明する。つまり、目的層以外の記録層が目的外層となる。
【００５８】
図２は、本実施の形態にかかる光ピックアップ装置７の概略の構成を示す側面図である。光ピックアップ装置７は、レーザ光源（光源）１、回折部（生成手段）２、対物レンズ（集光手段）３、ビームスプリッタ１０、ホログラム５（分離手段）および受光体（受光手段）６を備えている。
【００５９】
レーザ光源１は、光ディスク（記録媒体）４に対してレーザ光を照射するものである。上記レーザ光源１は、例えば、波長６５０ｎｍのレーザビーム（光ビーム）を出射する。なお、レーザ光源１から出射される光ビームの波長は特に限定されるものではなく、例えば、４０５ｎｍであってもよい。
【００６０】
回折部２は、レーザ光源１と上記光ディスク４との間に配置されており、レーザ光源１から出射される１つの光ビームから、１つのメインビーム（０次透過光）と２つのサブビーム（＋１次回折光、−１次回折光）とを生成するものである。つまり、レーザ光源１から出射された光ビームは、回折部２にて３つの光ビームになる。本実施の形態では、回折部２は、レーザ光源１から対物レンズ３までの間（より詳細にはレーザ光源１からビームスプリッタ１０までの間）に設けられている。そして、上記回折部２は、メインビームを、サブビームの光強度よりも大きくなるように、２種類の光ビームを生成している。より具体的には、上記回折部２は、２つのサブビームである＋１次回折光と−１次回折光との光量の和よりもメインビームの光量が大きくなるように、上記メインビームとサブビームとを生成している。本実施の形態では、回折部２は、それぞれの光量が＋１次回折光：０次透過光：−１次回折光＝１：１０：１となるように光ビームを回折している。また、上記回折部２が回折格子で構成されている場合には、当該回折格子の溝の深さによって、０次透過光と±１次回折光との割合を制御することができる。
【００６１】
対物レンズ３は、回折部２にて回折された３つの光ビームを光ディスク４上に集光させるものである。また、光ディスク４によって反射された光ビームは、上記対物レンズ３を通過して、ホログラム５に入射される。
【００６２】
ビームスプリッタ１０は、光ディスク４から反射された３つの光ビーム（１つのメイン光ビームおよび２つのサブ光ビーム）をホログラム５に導くものである。本実施の形態では、光ディスク４で反射されて対物レンズ３を通過した３つの光ビームは、ビームスプリッタ１０にて進行方向が変えられてホログラム５に導かれる。
【００６３】
ホログラム５は、光ディスク４で反射されて対物レンズ３を通過した光ビームを分離するものである。上記ホログラム５は、複数の領域に分割されており、上記対物レンズ３を通過した光ビームを各分割領域により分割して受光体６に入射させる。そして、具体的には、上記光ビームは、上記ホログラム５にて少なくともフォーカスサーボ信号を求めるためのフォーカス用光ビームとトラッキングサーボ信号を求めるためのトラッキング用光ビームとに分離される。なお、上記ホログラム５の分割パターンおよび受光体６の詳細な構成については後述する。
【００６４】
受光体６は、複数の受光素子を有し、上記ホログラム５にて分離された光ビーム（フォーカス用光ビーム、トラッキング用光ビーム）を受光（検出）して電気信号に変換するものである。上記受光体６では、受光された光ビームの光強度を検出する。また、上記受光体６は、フォーカス用光ビームを受光するフォーカス用受光部ＡＢと、トラッキング用光ビームを受光するトラッキング用受光部（トラッキング受光手段）Ｃ・Ｄ・Ｅ・Ｆ・Ｇ・Ｈとを備えている。そして、フォーカス用受光部ＡＢからは、フォーカスサーボ信号が生成され、また、トラッキング用受光部Ｃ・Ｄ・Ｅ・Ｆ・Ｇ・Ｈからは、トラッキングサーボ信号が生成される。なお、上記トラッキング用受光部は、トラッキング用メインビームを受光するトラッキング用メイン受光部Ｃ・Ｄと、トラッキング用サブビームを受光するトラッキング用サブ受光部Ｅ・Ｆ・Ｇ・Ｈとに分けられる。
【００６５】
上記の構成を有する光ピックアップ装置７において、レーザ光源１から出射された光ビームは、回折部２にて３つの光ビームに回折された後、ビームスプリッタ１０を透過し、対物レンズ３によって光ディスク４上に集光される。光ディスク４で反射した光ビームは、再び、対物レンズ３を通り、ビームスプリッタ１０で反射し、ホログラム５で３個以上の複数の光ビームに分割されて受光体６に入射する。
【００６６】
ここで、ホログラム５と受光体６との詳細な構成について説明する。図１は、ホログラム５の分離領域（分離パターン）と、受光体６に設けられた各受光部の配置を示す正面図である。なお、図中の矢印の方向はトラック方向を示している。
【００６７】
図１に示すように、上記ホログラム５は、３つの領域（５ＡＢ、５Ｃおよび５Ｄ）に分割されている。上記領域５ＡＢは、上記メインビーム８が上記ホログラム５に照射された場合における、上記光ビームの光軸を中心として、当該光軸を含む直線で２分割されたうちの一方である。より詳細には、上記領域５ＡＢは、ホログラム５の分離領域のうち、上記ホログラム５に照射されるメインビームの光軸を含みトラック方向と直交する方向の直線（以下、直交直線と称する）で２分割された領域のうちの一方の領域である。
【００６８】
そして、領域５Ｃおよび領域５Ｄは、それぞれ、ホログラム５の分離領域のうち、上記領域５ＡＢ以外の領域であり、上記光ビームの光軸を含みトラック方向と平行な直線（以下、平行直線と称する）と上記直交直線とで囲まれた領域である。つまり、上記光軸を中心として、直交直線と平行直線とで分割された４つの領域のうち、平行直線で分割された領域のうちの隣り合う２つの領域が、領域５Ｃ、５Ｄであり、直交直線で分割された一方の領域が領域５ＡＢである。
【００６９】
そして、上記分割された３つの領域のうち、領域５ＡＢで分割された光ビームは、フォーカスサーボ信号を求めるためのフォーカス用光ビームであり、上記領域５Ｃ、５Ｄで分割された２つの光ビームは、トラッキングサーボ信号を求めるためのトラッキング用光ビームである。フォーカス用光ビームは、フォーカス用受光部ＡＢに照射され、トラッキング用光ビームは、トラッキング用受光部Ｃ・Ｄ・Ｅ・Ｆ・Ｇ・Ｈに照射される。
【００７０】
そして、上記領域５ＡＢで分割されたメインビームは、フォーカスサーボ信号を求めるためのフォーカス用メインビーム８ＡＢであり、上記領域５Ｃ、５Ｄで分割された２つのメインビームは、トラッキングサーボ信号を求めるためのトラッキング用メインビーム８Ｃ・８Ｄである。また、上記領域５ＡＢで分割されたサブビームは、他のサブビーム（説明の便宜上フォーカス用サブビーム１１ＡＢ・１２ＡＢと称する）であり、上記領域５Ｃ、５Ｄで分割された２つのサブビームは、トラッキングサーボ信号を求めるためのトラッキング用サブビーム１１Ｃ・１１Ｄ・１２Ｃ・１２Ｄである。なお、以下の説明では、メインビームとサブビームとを特に区別しない場合には、受光体６に入射される光ビームをフォーカス用光ビーム、トラッキング用光ビームと称して説明する。
【００７１】
また、受光体６は、図１に示すように、上記フォーカス用光ビームを受光するフォーカス用受光部ＡＢと、トラッキング用光ビームを受光するトラッキング用受光部Ｃ・Ｄ・Ｅ・Ｆ・Ｇ・Ｈを備えている。具体的には、上記フォーカス用受光部ＡＢは、ホログラム５の領域５ＡＢにて分離されたフォーカス用光ビーム（フォーカス用メインビーム８ＡＢ）を受光するものであり、上記トラッキング用受光部のうち、Ｃ・Ｅ・Ｇは、上記領域５Ｃにて分離されたトラッキング用光ビーム８Ｃ・１１Ｃ・１２Ｃを受光するものであり、上記トラッキング用受光部のうち、Ｄ・Ｆ・Ｈは、上記領域５Ｄにて分離されたトラッキング用光ビーム８Ｄ・１１Ｄ・１２Ｄを受光するものである。
【００７２】
また、上記領域５Ｃにて分離されたトラッキング用光ビームを受光するトラッキング用受光部Ｃ・Ｅ・Ｇのうち、Ｃは、０次透過光であるトラッキング用メインビーム８Ｃを受光するトラッキング用メイン受光部であり、ＥおよびＧは、±１次回折光である２つのトラッキング用サブビーム１１Ｃ・１２Ｃをそれぞれ受光するトラッキング用サブ受光部である。
【００７３】
また、上記領域５Ｄにて分離されたトラッキング用光ビームを受光するトラッキング用受光部Ｄ・Ｆ・Ｈのうち、Ｄは、０次透過光であるトラッキング用メインビーム８Ｄを受光するトラッキング用メイン受光部であり、ＦおよびＨは、±１次回折光である２つのトラッキング用サブビーム１１Ｄ・１２Ｄをそれぞれ受光するトラッキング用サブ受光部である。
【００７４】
ホログラム５によって分離される上記の各光ビームが、受光体６に照射される位置については、図１では影を付して示している。
【００７５】
そして、上記トラッキング用メイン受光部Ｃ、トラッキング用サブ受光部ＥおよびＧ（Ｄ、ＦおよびＨ）は、トラッキング用メイン受光部Ｃ（Ｄ）を真中としてその両隣になるようにトラッキング用サブ受光部ＥおよびＧ（ＦおよびＨ）がトラック方向に延びるように、それぞれ配置されている。なお、上記の説明において、メインビームおよびサブビームは目的層で反射された光ビームである。
【００７６】
さらに、上記光ピックアップ装置７には、トラッキング用サブ受光部ＥおよびＧ（ＦおよびＨ）と隣り合って、補助受光部ＶおよびＸ（ＷおよびＹ）が配置されている。具体的には、上記補助受光部ＶおよびＸ（ＷおよびＹ）は、トラッキング用サブ受光部ＥおよびＧ（ＦおよびＨ）のトラッキング用メイン受光部Ｃ（Ｄ）と隣り合っている端部とは反対側の端部において隣り合って、トラッキング方向に延びるように配置されている。
【００７７】
この補助受光部ＶおよびＸ（ＷおよびＹ）は、上記目的外層にて反射した光ビーム（以下、迷光と称する）のみを受光するものである。つまり、光ディスク４が単層の場合には、補助受光部ＶおよびＸ（ＷおよびＹ）には光は入射しない。
【００７８】
そして、領域５Ｃにて分離されたトラッキング用光ビームを受光する５つの受光部（補助受光部Ｖ、トラッキング用サブ受光部Ｅ、トラッキング用メイン受光部Ｃ、トラッキング用サブ受光部Ｇ、補助受光部Ｘ）および、領域５Ｄにて分離されたトラッキング用光ビームを受光する５つの受光部（Ｗ、Ｆ、Ｄ、Ｈ、Ｙ）は、トラッキング方向に沿って、上記の順に配置されている。また、上記各５つの受光部からなる２つの群（Ｖ・Ｅ・Ｃ・Ｇ・Ｘ、および、Ｗ、Ｆ、Ｄ、Ｈ、Ｙ）は、フォーカス用受光部ＡＢから見て同じ側に並列して配置されている。上記２つの群を隣り合って並列に配置することにより、受光体６の大きさ（面積）を小さくすることができる。なお、図１において、一点鎖線は、ホログラム５における光軸を含む直線（直交直線、平行直線）と対応した一を示している。
【００７９】
そして、上記領域５ＡＢで回折されたメインビーム８は、フォーカス用受光部ＡＢにフォーカス用メインビーム８ＡＢよして入射する。また、領域５ＡＢで回折されたサブビーム１１・１２（図示せず）は、フォーカス用受光部ＡＢを挟んで、受光部が備えられていない場所にサブビーム１１ＡＢ・１２ＡＢとして入射する。つまり、領域５Ａで回折されたサブビーム１１ＡＢ・１２ＡＢは、フォーカスサーボ信号およびトラッキングサーボ信号を求めるためには使用されない。
【００８０】
一方、上記領域５Ｃ（５Ｄ）で回折されたメインビーム８は、トラッキング用メイン受光部Ｃ（Ｄ）に入射される。また、領域５Ｃ（５Ｄ）で回折されたサブビーム１１・１２（図示せず）は、それぞれトラッキング用サブ受光部Ｅ・Ｇ（Ｆ・Ｈ）に入射される。
【００８１】
ここで、本実施の形態にかかる補助受光部Ｖ・Ｘ（Ｗ・Ｙ）の形状について説明する。本実施の形態において、上記補助受光部Ｖ・Ｘ（Ｗ・Ｙ）は、図１に示すように、その受光面積が、トラッキング用サブ受光部Ｅ・Ｇ（Ｆ・Ｈ）受光面積よりも小さくなっている。これについて以下に詳しく説明する。
【００８２】
先ず、補助受光部の形状に関する説明をする前に、光ディスク４が単層である場合におけるトラッキングサーボ信号（トラッキング誤差信号、以下の説明では、ＴＥＳと称する）を差動プッシュプル法（以下、ＤＰＰ法と称する）を用いて算出する方法について説明する。ＤＰＰ法は、特に記録型光ディスク４の場合に多く用いられる。そして、ＤＰＰ法では、トラッキング用メイン受光部Ｃで検出された光量を“Ｃ”、トラッキング用メイン受光部Ｄで検出された光量を“Ｄ”、トラッキング用サブ受光部Ｅ・Ｇで検出された光量をそれぞれ“Ｅ”・“Ｇ”、トラッキング用サブ受光部Ｆ・Ｈで検出された光量をそれぞれ“Ｆ”・“Ｈ”としたとき、上記ＴＥＳは、下式（１）、
ＴＥＳ＝（“Ｃ”−“Ｄ”）−Ｋ×｛（“Ｅ”＋“Ｇ”）−（“Ｆ”＋“Ｈ”）｝……（１）
の演算式により求める。なお、上記Ｋは、メインビームとサブビームとの光量の差から求められる任意の係数である。
【００８３】
つまり、領域５Ｃと領域５Ｄとで分離されたメインビームの差とサブビームの差とをそれぞれ算出して、これらの差分を取ることによりトラッキングサーボ信号を求めている。
【００８４】
次に、複数の記録層が積層された光ディスク４において発生する迷光（目的外層で反射されるメインビームおよびサブビーム）について説明する。図１、３には、目的層から反射された光ビームと、目的層よりも対物レンズ３からの距離が近い迷光が、ホログラム５および受光体６に照射された場合のそれぞれのスポットを示す正面図である。なお、図３は、受光体に補助受光部が設けられていない場合である。また、図中では、目的外層から反射された光ビーム（迷光）を点線で示している。以下の説明では、２層ディスクについて説明するが、記録層の数については特に限定されるものではない。
【００８５】
目的層よりも対物レンズ３側の記録層（目的外層）からの光ビーム（以下、ニア側迷光と称する）８ｎと目的層からの光ビーム８とは、両者の光路長の差によって、ホログラム５および受光部６に入射する光ビームの面積が異なる。具体的には、図１に示すように、ホログラム５および受光部６に入射するニア側迷光８ｎは、光路長の差および対物レンズ３３の影響により、光ビーム８よりもその照射面積が大きくなる。つまり、ホログラム５および受光部６に形成されるスポットは、光ビーム８よりもニア側迷光８ｎのほうが大きい。
【００８６】
なお、図１、３において、光ビーム８およびニア側迷光８ｎは、回折部２によって、それぞれメインビームとサブビームとが存在しているが、説明の便宜上、ニア側迷光８ｎについては０次透過光のみを示している。なお、実施の形態では０次透過光＞＞±１次回折光となっており、以下の説明では、オフセットに強い影響を与える（光量の多い）０次透過光のみについて説明する。
【００８７】
図１に示すように、領域５ＡＢにて分離されたニア側迷光８ｎは、フォーカスニア側迷光８ｎＡＢとしてフォーカス用受光部ＡＢに入射する。このとき、フォーカスニア側迷光８ｎＡＢは、領域５ＡＢにて分離された光ビーム８よりもフォーカス用受光部ＡＢ上に形成されるスポットの大きさは大きくなる。また、領域５Ｃ（５Ｄ）にて分離されたニア側迷光８ｎは、トラッキングニア側迷光８ｎＣ（８ｎＤ）としてトラッキング用メイン受光部Ｃ（Ｄ）に入射する。このとき、トラッキングニア側迷光８ｎＣ（８ｎＤ）は、領域５Ｃ（５Ｄ）にて分離された光ビーム８よりもトラッキング用メイン受光部Ｃ（Ｄ）上に形成されるスポットの大きさは大きくなる。そして、上記トラッキングニア側迷光８ｎＣ（８ｎＤ）は、その光ビームの照射面積の大きさのために、トラッキング用サブ受光部Ｇ（Ｈ）および補助受光部Ｘ（Ｙ）にも照射される。
【００８８】
つまり、上記トラッキングニア側迷光８ｎＣ（８ｎＤ）が、トラッキング用サブ受光部Ｇ（Ｈ）に照射されることにより、オフセットが生じることとなる。また、トラッキング用メイン受光部Ｃ（Ｄ）にも、同様にオフセットが発生している。このため、上記ＴＥＳは、下式（２）、
ＴＥＳ＝｛（“Ｃ”＋Δｃ）−（“Ｄ”＋Δｄ）｝−Ｋ×｛（“Ｅ”＋“Ｇ”＋Δｇ）−（“Ｆ”＋“Ｈ”＋Δｈ）｝……（２）
となる。上記Δｃ（Δｄ）は、トラッキングニア側迷光８ｎＣ（８ｎＤ）がトラッキング用メイン受光部Ｃ（Ｄ）に入射することにより発生するオフセットを示しており、上記Δｇ（Δｈ）は、トラッキングニア側迷光８ｎＣ（８ｎＤ）がトラッキング用サブ受光部Ｇ（Ｈ）に入射することにより発生するオフセットを示している。
【００８９】
ここで、迷光（トラッキングニア側迷光８ｎＣ（８ｎＤ））による各オフセット量が全く同じであれば、補助受光部を設けなくても、オフセットをキャンセルすることができるが、実際には、例えば、光ピックアップ装置７の組立て誤差等により、図中の左右方向（ラジアル方向）にトラッキングニア側迷光８ｎＣ（８ｎＤ）が移動するため、Δｃ≠Δｄ、Δｇ≠Δｈとなる。
【００９０】
そのため、正確なＴＥＳを得るためには、各受光部Ｃ・Ｄ・Ｅ・Ｆ・Ｇ・Ｈという６個の受光部のそれぞれに対応した６個の補助受光部が必要となる。しかしながら、６個の補助受光部を設けると、受光体６全体のサイズが大型化するとともに、各受光部に接続される回路が複雑化するという問題が発生する。
【００９１】
そこで、本実施の形態では、補助受光部Ｖ・Ｘ（Ｗ・Ｙ）の受光面積を、トラッキング用サブ受光部Ｅ・Ｇ（Ｆ・Ｈ）の受光面積よりも小さくしている。そして、図１に示すように、受光体６においては、トラッキング用サブ受光部Ｅに隣り合って配置された補助受光部Ｖ、トラッキング用サブ受光部Ｇに隣り合って配置された補助受光部Ｘ、トラッキング用サブ受光部Ｆに隣り合って配置された補助受光部Ｗ、トラッキング用サブ受光部Ｈに隣り合って配置された補助受光部Ｙという計４個の補助受光部が設けられている。
【００９２】
なお、上記受光面積とは、受光部全体の面積のうち、実際に光ビームを面積のことを意味しており、受光部自体の面積（すなわち、受光部が受光可能な面積）とは異なる。しかし、本実施の形態のように各受光部を配置した場合には、補助受光部Ｖ・Ｘ（Ｗ・Ｙ）自体の面積が、トラッキング用サブ受光部Ｅ・Ｇ（Ｆ・Ｈ）自体の面積よりも小さくなっている。
【００９３】
そして、上記式（２）において、補助受光部Ｘおよび補助受光部Ｙにより得られる出力信号を、それぞれｘ、ｙとすると、上記ＴＥＳは、下式（３）、
ＴＥＳ＝｛（“Ｃ”＋Δｃ）−（“Ｄ”＋Δｄ）｝−Ｋ×｛（“Ｅ”＋“Ｇ”＋Δｇ−ｘ）−（“Ｆ”＋“Ｈ”＋Δｈ−ｙ）｝……（３）
となる。
【００９４】
ここで、Δｃ−Ｋ×（Δｇ−ｘ）＝０、Δｄ−Ｋ×（Δｈ−ｙ）＝０となるようにｘ、ｙを決定した場合、トラッキング用メイン受光部Ｃ（Ｄ）およびトラッキング用サブ受光部Ｅ・Ｇ（Ｆ・Ｈ）に発生するオフセットをキャンセルすることができる。そして、本実施の形態では、このようなｘ、ｙとなるように、補助受光部Ｘ・Ｙおよび補助受光部Ｗ・Ｙの受光面積（形状）を決定している。換言すると、本実施の形態にかかる補助受光部Ｘおよび補助受光部Ｙの受光面積は、トラッキング用メイン受光部Ｃ（Ｄ）およびトラッキング用サブ受光部Ｅ・Ｇ（Ｆ・Ｈ）によって発生するオフセットをキャンセルすることができるように設定されている。
【００９５】
そして、例えば、補助受光部Ｘおよび補助受光部Ｙと、トラッキング用サブ受光部Ｅ・Ｇ（Ｆ・Ｈ）との受光面積を互いに同じとした場合、Δｇ＝ｘ、Δｈ＝ｙとなるため、Ｋ×（Δｇ−ｘ）、Ｋ×（Δｈ−ｙ）の部分のオフセットをキャンセルすることが可能であるが、Δｃ−Δｄのオフセット（Δｃ≠Δｄ）は残留することとなる。そこで、本実施の形態では、上記トラッキング用メイン受光部Ｃ（Ｄ）によって発生するオフセットをキャンセルするために、つまり、Δｇ−ｘ＞０、Δｈ−ｙ＞０とするために、補助受光部Ｘおよび補助受光部Ｙの受光面積を、トラッキング用サブ受光部Ｇ（Ｈ）の受光面積よりも小さくしている。また、目的層よりも対物レンズからの距離が遠い迷光に起因する誤差の発生を抑えるために、補助受光部Ｖおよび補助受光部Ｗの受光面積を、トラッキング用サブ受光部Ｅ（Ｆ）の受光面積よりも小さくしている。
【００９６】
なお、上記の説明は、目的層よりも対物レンズ３からの距離が近い迷光（二ア側迷光）が、受光体６に照射された場合について述べたものである。一方、目的層よりも対物レンズ３からの距離が遠い迷光（ファー側迷光）が、受光体６に照射された場合については、当該ファー側迷光は、ニア側迷光とは逆の形状（つまり、トラッキング方向に反転した形状）で受光体６に照射される。それゆえ、ファー側迷光は、補助受光部Ｖ（Ｗ）に入射される。この場合も、補助受光部Ｖ（Ｘ）の受光面積がトラッキング用サブ受光部Ｅ（Ｆ）の受光面積よりも小さくなっているため、補助受光部Ｖおよび補助受光部Ｗによって得られる出力信号を用いて、ニア側迷光と同様にして、トラッキング用メイン受光部およびトラックング用サブ受光部によって発生するオフセットをキャンセルすることができる。
【００９７】
また、本実施の形態の光ピックアップ装置７においては、図４に示すように、ホログラム５の領域５Ｃで分離されたトラッキングニア側迷光８ｎＣのみを受光する補助受光部Ｘ（Ｖ）の受光面積とホログラム５の領域５Ｄで分離されたトラッキングニア側迷光８ｎＤのみを受光する補助受光部Ｙ’（Ｗ’）の受光面積とを、互いに異ならせている。より詳細には、補助受光部Ｘ（Ｖ）と補助受光部Ｙ’（Ｗ’）とのそれぞれの受光面積は、それぞれに入射する光ビームの密度（単位面積あたりの光量）に応じた面積を有している。これについて説明する。
【００９８】
ホログラム５にて、目的層で反射された光ビームおよび迷光を分離して各受光体６に入射する場合、当該ホログラム５の分割パターンや、当該分割パターンと各受光体６が設けられている位置によっては、上記ホログラム５の領域５Ｃと領域５Ｄとの分離された光ビームは、互いに、分離角度およびホログラム５から受光体６までの光路長が異なることとなる。例えば、領域５Ｃと領域５Ｄとの分離された光ビームが、ホログラム５にて、互いに異なる分離角度で、各受光体６に入射する場合、当該各受光体６に照射された光ビームのビーム径は異なる。
【００９９】
具体的には、上記分離角度が大きければ大きいほどビーム径は大きくなる。この場合には、トラッキング用メイン受光部Ｃとトラッキング用メイン受光部Ｄとに入射する迷光の密度（単位面積当たりに入射する光量）は異なる。また、トラッキング用サブ受光部Ｅ・Ｇとトラッキング用サブ受光部Ｆ・Ｈとに入射する上記光ビームの密度も異なる。そして、補助受光部Ｖ・Ｘと補助受光部Ｗ・Ｙとに入射する上記光ビームの密度も異なる。
【０１００】
従って、図４に示す受光体６では、補助受光部Ｖ・Ｘと補助受光部Ｗ’・Ｙ’とに照射された迷光の密度が同じになるように、当該補助受光部Ｖ・Ｘと補助受光部Ｗ’・Ｙ’との受光面積を設定している。具体的には、補助受光部Ｖ・Ｘと補助受光部Ｗ’・Ｙ’との受光面積を互いに異ならせることにより、分離角度が異なっている光ビームが両者に照射される場合であっても、両者が受光する上記密度を同じにすることができる。
【０１０１】
また、本実施の形態にかかる光ピックアップ装置では、図９に示すように、上記レーザ光源１、回折部２、ホログラム５および受光部６を一体化させて集積ユニット２０とすることにより、光ピックアップ装置の小型化を図ることができる。そして、上記集積ユニット２０と対物レンズ３（および対物レンズ３を駆動させる駆動源）とを有するものが光ピックアップ装置７である。なお、上記ホログラム５の代わりに分離手段としてプリズムを用いてもよい。
【０１０２】
ここで、本実施の形態にかかる光ピックアップ装置７（光ピックアップユニット）を備えた情報記録／再生装置について説明する。
【０１０３】
本実施の形態に係る情報記録／再生装置５０は、図１０に示すように、光ディスク４を回転駆動するスピンドルモータ５１、光ディスク４に情報を記録再生する光ピックアップ装置７、上記スピンドルモータ５１および光ピックアップ装置７を駆動制御するための駆動制御部５２を備えている。
【０１０４】
上記駆動制御部５２は、上記スピンドルモータ５１の駆動制御を行うスピンドルモータ駆動回路、対物レンズ３をフォーカス方向に移動させるフォーカス・アクチュエータの駆動制御を行うフォーカス駆動回路、上記対物レンズ３をラジアル方向に移動させるトラッキング・アクチュエータの駆動制御を行うトラッキング駆動回路を有するとともに、上記光ピックアップ装置７から得られた信号から上記の各制御回路への制御信号を生成するための制御信号生成回路、上記光ピックアップ装置７から得られた信号から光ディスク４に記録されている情報を再生し、再生信号を生成するための情報再生回路を有している。
〔実施の形態２〕
本発明の実施の形態２について説明すると、以下の通りである。なお、説明の便宜上、前記実施の形態１にて示した各部材と同一の機能を有する部材には、同一の符号を付記し、その説明を省略する。
【０１０５】
本実施の形態にかかる光ピックアップ装置７（図２参照）では、各受光部が受光した光量に基づいてトラッキングサーボ信号を算出するための演算回路が、受光体と接続されており、この演算回路には、各受光部が受光した光量に基づいて出力された信号にゲインを付加するゲイン調整器が備えられている。
【０１０６】
図５には、本実施の形態にかかる受光体６の一部と、この受光体６の各受光部に接続された演算回路３０とを示す。なお、補助受光部の形状を除く受光体６の構成については、前記実施の形態１と同じであるためその説明を省略する。
【０１０７】
図５に示すように、本実施の形態にかかる光ピックアップ装置７においては、受光体６における各受光部が受光した光量に基づいてトラッキングサーボ信号を算出するための演算回路３０が、受光体６に接続して設けられている。この演算回路３０には、各受光部（すなわち、トラッキング用メイン受光部Ｃ・Ｇ、トラッキング用サブ受光部Ｅ・Ｇ・Ｆ・Ｈ、補助受光部Ｖ・Ｘ・Ｗ・Ｙ）が受光した光量に基づいて出力された出力信号にゲインを付加するゲイン調製器１５が備えられている。そして、このゲイン調製器１５では、トラッキング用サブ受光部Ｅ・Ｇ・Ｆ・Ｈからの出力信号に付加するゲインよりも小さなゲインを、補助受光部Ｖ・Ｘ・Ｗ・Ｙからの出力信号に付加している。
【０１０８】
以下に、本実施の形態におけるゲインの付加方法についてより詳しく説明する。
【０１０９】
図５に示すように、本実施の形態の光ピックアップ装置７においては、トラッキング用サブ受光部Ｅ・Ｇ（Ｆ・Ｈ）、および、補助受光部Ｖ・Ｘ（Ｗ・Ｙ）からの出力信号にゲインを付すゲイン調整器１５が備えられている。上記ゲイン調整器は、トラッキング用サブ受光部Ｅ・Ｇ（Ｆ・Ｈ）から出力される出力信号、補助受光部Ｘ（またはＶ）から出力される出力信号、および、補助受光部Ｙ（またはＷ）から出力される出力信号に対して、個別にゲインを付すことができる。
【０１１０】
ここでは、まず、補助受光部Ｘおよび補助受光部Ｙから出力される出力信号に同じゲインを付加する場合について説明する。
【０１１１】
補助受光部Ｘおよび補助受光部Ｙにより得られる出力信号を、それぞれｘ、ｙとすると、上記ＴＥＳは、実施の形態１で述べたように、下式（３）、
ＴＥＳ＝｛（“Ｃ”＋Δｃ）−（“Ｄ”＋Δｄ）｝−Ｋ×〔｛（“Ｅ”＋“Ｇ”＋Δｇ）×Ｉ−ｘ×Ｍ｝−｛（“Ｆ”＋“Ｈ”＋Δｈ）×Ｉ−ｙ×Ｍ｝〕……（３）
となる。
【０１１２】
そして、トラッキング用サブ受光部Ｅ・Ｇ（Ｆ・Ｈ）から出力される出力信号に付すゲインをＩとし、補助受光部ＸおよびＹから出力される出力信号に付すゲインをＭとする。
【０１１３】
Δｃ−Ｋ×（Δｇ×Ｉ−ｘ×Ｍ）＝０、Δｄ−Ｋ×（Δｈ×Ｉ−ｙ×Ｍ）＝０
となるように、上記ゲインＭを設定することにより、トラッキング用メイン受光部Ｃ（Ｄ）およびトラッキング用サブ受光部Ｅ・Ｇ（Ｆ・Ｈ）に発生するオフセットをキャンセルすることができる。
【０１１４】
ここで、補助受光部Ｘおよび補助受光部Ｙと、トラッキング用サブ受光部Ｅ・Ｇ（Ｆ・Ｈ）との受光面積を互いに同じとした場合、Δｇ＝ｘ、Δｈ＝ｙとなる。このとき、もし、各出力信号に付すゲインを同じにすると（すなわち、Ｉ＝Ｍとすると）、Ｋ×（Δｇ×Ｉ−ｘ×Ｍ）、Ｋ×（Δｈ×Ｉ−ｙ×Ｍ）の部分のオフセットをキャンセルすることが可能であるが、Δｃ−Δｄのオフセット（Δｃ≠Δｄ）は残留することとなる。
【０１１５】
そこで、本実施の形態では、上記トラッキング用メイン受光部Ｃ（Ｄ）によって発生するオフセットをキャンセルするために、トラッキング用サブ受光部Ｇ（Ｈ）からの出力信号に付加するゲインよりも小さなゲインを、補助受光部Ｘ（Ｙ）からの出力信号に付加するつまり、Δｇ×Ｉ−ｘ×Ｍ＞０、Δｈ×Ｉ−ｙ×Ｍ＞０とするために、Ｉ＞Ｍとしている。
【０１１６】
次に、補助受光部Ｘから出力される出力信号に付加するゲインと、補助受光部Ｙから出力される出力信号に付加するゲインとが、互いに異なる場合について、図６を用いて説明する。
【０１１７】
図６に示す光ピックアップ装置の受光体６においては、受光体６における各受光部が受光した光量に基づいてトラッキングサーボ信号を算出するための演算回路３０が、受光体６に接続して設けられている。この演算回路３０には、各受光部（すなわち、トラッキング用メイン受光部Ｃ・Ｄ、トラッキング用サブ受光部Ｅ・Ｇ・Ｆ・Ｈ、補助受光部Ｖ・Ｘ・Ｗ・Ｙ）が受光した光量に基づいて出力された出力信号にゲインを付加するゲイン調製器１５’が備えられている。そして、このゲイン調製器１５’では、トラッキング用サブ受光部Ｅ・Ｇ・Ｆ・Ｈからの出力信号に付加するゲインよりも小さなゲインを、補助受光部Ｖ・Ｘ・Ｗ・Ｙからの出力信号に付加している。
【０１１８】
さらに、図６に示す受光体６のトラッキング用メイン受光部Ｃ・Ｄには、ホログラム５（図示せず）の領域５Ｃ、５Ｄによって分離された２つのトラッキング用メインビームがそれぞれ照射される。また、トラッキング用サブ受光部Ｅ・ＧおよびＦ・Ｈには、ホログラム５の領域５Ｃ、５Ｄによって分離された２つのトラッキング用サブビームがそれぞれ照射される。
【０１１９】
また、図６に示す受光体６には、領域５Ｃによって分離されたトラッキング用メインビームおよびトラッキング用サブビームに対応した補助受光部Ｖ・Ｘが設けられているとともに、領域５Ｄによって分離されたトラッキング用メインビームおよびトラッキング用サブビームに対応した補助受光部Ｗ・Ｙが設けられている。そして、この２つに分離された上記トラッキング用メインビームおよびトラッキング用サブビームのそれぞれに対応して設けられた２種の補助受光部Ｖ・ＸおよびＷ・Ｙからの出力信号に対して付加する各ゲインは、互いに異なっている。
【０１２０】
以下に、図６に示す受光体６におけるゲインの付加方法についてより詳しく説明する。
【０１２１】
なお、この互いに異なるゲインの付加は、図６に示すように、トラッキング用受光部Ｃ・Ｅ・Ｇとトラッキング用受光部Ｄ・Ｆ・Ｈにそれぞれ入射する迷光８ｎＣおよび８ｎＤの密度が、互いに異なる場合に行うことが好ましい。ここでは、補助受光部Ｘからの出力信号に付加するゲインをＭとし、補助受光部Ｙからの出力信号に付すゲインをＮとして、ＭとＮとを互いに異ならせるように設定する。具体的には、Ｍ＞Ｎ、Ｉ＞Ｍ、Ｉ＞Ｎとする。
【０１２２】
この場合には、
Δｃ−Ｋ×（Δｇ×Ｉ−ｘ×Ｍ）＝０、Δｄ−Ｋ×（Δｈ×Ｉ−ｙ×Ｎ）＝０
となるように、上記各ゲインＭ、Ｎ、Ｉを設定することにより、トラッキング用メイン受光部Ｃ（Ｄ）およびトラッキング用サブ受光部Ｇ（Ｈ）に発生するオフセットをキャンセルすることができる。
【０１２３】
本実施の形態における具体的な演算方法としては、図５、６に示すように、補助受光部Ｘからの出力信号にゲインＭを付した出力信号（ア）と、トラッキング用サブ受光部ＧとＥの出力信号の加算信号（イ）との間で差動演算を行った結果出力（ウ）と、補助受光部Ｙからの出力信号にゲインＭ（またはＮ）を付した出力信号（エ）とトラッキング用サブ受光部ＨとＦの出力信号の加算信号（オ）との間で差動演算を行った結果出力（カ）とから、さらに上記結果出力（ウ）と結果出力（カ）との間で差動演算を行い、この結果出力（キ）にゲインＫを付したものと、トラッキング用メイン受光部ＣとＤとの間で差動演算を行った結果出力（ク）との間で差動演算を行うことにより、ＴＥＳを求めている。なお、ＴＥＳの演算方法（算出方法）については上記に限定されるものではない。
【０１２４】
これにより、補助受光部Ｘ（Ｙ）の受光面積を変化させることなく、トラッキング用メイン受光部Ｃ（Ｄ）およびトラッキング用サブ受光部Ｇ（Ｈ）に発生するオフセットをキャンセルすることができる。
【０１２５】
なお、上記のように各ゲインを設定する方法としては、例えば、光ピックアップ装置７が読み取る光ディスク４毎に、再生信号のジッター値やエラー率が最も小さくなるようにゲインを定めればよい。また、より簡単な最適化手法としては、ピックアップ組立て時に、基準となる多層光ディスク４を用いて、トラッキング信号のオフセットや再生信号のジッター値、エラー率を測定し、ベストなゲインを決定すればよい。
【０１２６】
上記の説明は、目的層よりも対物レンズ３からの距離が近い迷光（二ア側迷光）が、受光体６に照射された場合について述べたものである。一方、目的層よりも対物レンズ３からの距離が遠い迷光（ファー側迷光）が、受光体６に照射された場合については、当該ファー側迷光は、ニア側迷光とは逆の形状（つまり、トラッキング方向に反転した形状）で受光体６に照射される。それゆえ、ファー側迷光は、補助受光部Ｖ（Ｗ）に入射される。この場合も、上記ゲイン調製器は、上記トラッキング用サブ受光部Ｅ（Ｆ）に由来する信号に付加するゲインよりも小さなゲインを、上記補助受光部Ｖ（Ｗ）に由来する信号に付加するため、補助受光部Ｖおよび補助受光部Ｗによって得られる出力信号を用いて、ニア側迷光と同様にして、トラッキング用メイン受光部およびトラックング用サブ受光部によって発生するオフセットをキャンセルすることができる。
【０１２７】
また、本実施の形態にかかる光ピックアップ装置では、図９に示すように、上記レーザ光源１、回折部２、ホログラム５および受光部６を一体化させて集積ユニット２０とすることにより、光ピックアップ装置の小型化を図ることができる。そして、上記集積ユニット２０と対物レンズ３（および対物レンズ３を駆動させる駆動源）とを有するものが光ピックアップ装置７である。なお、上記ホログラム５の代わりに分離手段としてプリズムを用いてもよい。
【０１２８】
ここで、本実施の形態にかかる光ピックアップ装置７（光ピックアップユニット）を備えた情報記録／再生装置について説明する。
【０１２９】
本実施の形態に係る情報記録／再生装置５０は、図１０に示すように、光ディスク４を回転駆動するスピンドルモータ５１、光ディスク４に情報を記録再生する光ピックアップ装置７、上記スピンドルモータ５１および光ピックアップ装置７を駆動制御するための駆動制御部５２を備えている。
〔実施の形態３〕
本発明の実施の形態３について説明すると、以下の通りである。なお、説明の便宜上、前記実施の形態１にて示した各部材と同一の機能を有する部材には、同一の符号を付記し、その説明を省略する。
【０１３０】
本実施の形態にかかる光ピックアップ装置７（図２参照）では、ホログラム５における、トラッキングサーボ信号を求めるために光ビームを分離する領域５Ｃと領域５Ｄの形状が、メインビームの光軸付近の領域を含まない領域になっている。図７、８には、本実施の形態にかかる光ピックアップ装置に備えられたホログラムと受光体を示す。これらの図に示すように、ホログラム５における領域５ＡＢ、５Ｃ、５Ｄの形状が、実施の形態１に示すホログラム５の形状とは異なっている。それ以外の構成については、実施の形態１と同じである。
【０１３１】
図７は、目的層から反射された光ビームと、目的層よりも対物レンズ３からの距離が近い迷光が、ホログラム５および受光体６に照射された場合のそれぞれのスポットを示す正面図である。なお、図中では、目的外層から反射された光ビームを点線で示している。
【０１３２】
ホログラム５は、上記のように、トラッキングサーボ信号を求めるために光ビームを分離する領域５Ｃと領域５Ｄの形状が、メインビームの光軸付近の領域を含まない領域になっている。具体的には、上記ホログラム５において光ディスク４から反射された光ビームを分離する領域である領域５Ｃおよび５Ｄは、上記対物レンズ３から見て、目的層よりも遠い目的外層で反射されたメインビームおよびサブビームが集光される領域を除く領域になっている。より詳細には、上記目的層よりも対物レンズ３から遠い側の迷光のビーム径の最大値よりも大きい部分を除く領域で、トラッキングサーボ信号を得る構成である。なお、上記大きい部分とは、対物レンズ３がトラッキングの際に移動しても、目的層よりも遠い迷光がはみ出さない部分を示している。
【０１３３】
具体的には、例えば、ホログラム５上での光ディスク４から反射された光ビームの直径が６００μｍの場合には、光軸から、半径１３０μｍ程度（直径２６０μｍ）の円形部分を除く領域を用いてトラッキングサーボ信号を求めればよい。なお、上記数値は、光学系の構成（対物レンズ３の焦点距離・開口数、ホログラム５の分割パターン等）により異なる。
【０１３４】
このため、ホログラム５の領域５Ｃと領域５Ｄとを通過したトラッキング用光ビームは、受光部上に、ドーナツ状の中抜きの１／４円となって、トラッキング用メイン受光部Ｃ（Ｄ）、トラッキング用サブ受光部Ｅ・Ｇ（Ｆ・Ｈ）に照射する。従って、図７に示すように、ホログラム５の領域５Ｃ（５Ｄ）を通過し、目的層から反射されたトラッキング用光ビームは、トラッキング用メイン受光部Ｘ（Ｙ）およびトラッキング用サブ受光部Ｅ・Ｇ（Ｆ・Ｈ）に、中抜きの１／４円の形状で入射する。また、トラッキングニア側迷光８ｎＣ（８ｎＤ）も同様に入射する。
【０１３５】
一方、ホログラム５の領域５ＡＢは、上記光軸付近の領域を含んだ領域となっている。そして、領域５ＡＢを通過し、目的層から反射したフォーカス用光ビームは、フォーカス用受光部ＡＢに、大きな半円と小さな半円とを併せた形のスポットを形成することとなる。また、このとき、迷光も上記目的層から反射したフォーカス用光ビームと同じ形状でフォーカス用受光部ＡＢに入射することとなる。
【０１３６】
図８は、目的層から反射された光ビームと、目的層よりも対物レンズ３からの距離が遠い迷光が、ホログラム５および受光体６に照射された場合のそれぞれのスポットを示す正面図である。図８に示すように、迷光（メインビームとサブビームとの両方）は、ホログラム５の領域５ＡＢのみに照射されている。つまり、上記迷光は、トラッキングサーボ信号を求めるために光ビームを分離する領域５Ｃと領域５Ｄとには照射されていない。また、トラッキング制御のために、対物レンズ３を移動させた場合であっても、上記迷光は、領域５Ｃと領域５Ｄとには照射されない。
【０１３７】
従って、上記トラッキングファー側迷光８ｆは、フォーカス用受光部ＡＢのみに照射され、トラッキング用メイン受光部Ｃ（Ｄ）、トラッキング用サブ受光部Ｅ・Ｇ（Ｆ・Ｈ）、および、補助受光部Ｘ（Ｙ）には照射されない。
【０１３８】
つまり、ホログラム５のトラッキングサーボ信号を求めるための領域５Ｃおよび５Ｄを、トラッキングファー側迷光８ｆが、トラッキング用の各受光部Ｃ・Ｅ・Ｇ（Ｄ・Ｆ・Ｈ）に入射しない形状とすることにより、トラッキングファー側迷光８ｆＤ、トラッキングファー側迷光８ｆＣによるオフセットを検出するための補助受光部Ｖ、Ｗを設ける必要がない。そのため、補助受光部の個数を減らすことができるとともに、装置の小型化を図ることができる。
【０１３９】
また、本実施の形態にかかる光ピックアップ装置では、図９に示すように、上記レーザ光源１、回折部２、ホログラム５および受光部６を一体化させて集積ユニット２０とすることにより、光ピックアップ装置の小型化を図ることができる。そして、上記集積ユニット２０と対物レンズ３（および対物レンズ３を駆動させる駆動源）とを有するものが光ピックアップ装置７である。なお、上記ホログラム５の代わりに分離手段としてプリズムを用いてもよい。
【０１４０】
ここで、本実施の形態にかかる光ピックアップ装置７（光ピックアップユニット）を備えた情報記録／再生装置について説明する。
【０１４１】
本実施の形態に係る情報記録／再生装置５０は、図１０に示すように、光ディスク４を回転駆動するスピンドルモータ５１、光ディスク４に情報を記録再生する光ピックアップ装置７、上記スピンドルモータ５１および光ピックアップ装置７を駆動制御するための駆動制御部５２を備えている。
【０１４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４３】
本発明にかかる光ピックアップ装置は、特に、多層の光ディスクに情報を記録する記録型の情報記録／再生装置等に好適に適用できる。
【図面の簡単な説明】
【０１４４】
【図１】本実施の形態１にかかる光ピックアップ装置に備えられたホログラムと受光体を示す正面図である。特に受光体については、その内部に設けられた各受光部の配置を示す。
【図２】本実施の形態１〜３にかかる光ピックアップ装置の概略の構成を示す側面図である。
【図３】受光体に補助受光部が設けられていない場合に、目的層から反射された光ビームと、目的層よりも対物レンズからの距離が近い迷光が、ホログラムおよび受光体に照射された場合のそれぞれのスポットを示す受光体およびホログラムの正面図である。
【図４】補助受光部の受光面積が互いに異なる場合の受光体およびホログラムを示す正面図である。
【図５】本実施の形態２にかかる光ピックアップ装置に備えられたホログラムと受光体を示すものであって、補助受光部からの出力信号にゲインを付すゲイン調整器が備えられている構成を示す正面図である。
【図６】本実施の形態２にかかる光ピックアップ装置に備えられたホログラムと受光体を示すものであって、補助受光部からの出力信号にゲインを付すゲイン調整器が備えられている構成を示す正面図である。
【図７】本実施の形態３にかかる光ピックアップ装置に備えられたホログラムと受光体を示す正面図である。特に受光体については、その内部に設けられた各受光部の配置を示す。
【図８】本実施の形態３にかかる光ピックアップ装置に備えられたホログラムと受光体を示す正面図である。特に受光体については、その内部に設けられた各受光部の配置を示す。
【図９】ホログラム、受光体、レーザ光源、および、回折部が一体化して集積ユニットを構成している光ピックアップ装置の概略の構成を示す正面図である。
【図１０】情報記録／再生装置の概略の構成を示すブロック図である。
【符号の説明】
【０１４５】
１    レーザ光源（光源）
２    回折部（生成手段）
３    対物レンズ（集光手段）
４    光ディスク（記録媒体）
５    ホログラム（分離手段）
６    受光体（受光手段）
７    光ピックアップ装置
１０  ビームスプリッタ
１５  ゲイン調製器
２０  集積ユニット
３０  演算回路
５０  情報記録／再生装置
５１  スピンドルモータ
５２  駆動制御部
ＡＢ    フォーカス用受光部
Ｃ・Ｄ  トラッキング用メイン受光部
Ｅ・Ｆ・Ｇ・Ｈ  トラッキング用サブ受光部
Ｖ・Ｗ・Ｘ・Ｙ  補助受光部
【図１】
2005317162.tif 000003
【図２】
2005317162.tif 000004
【図３】
2005317162.tif 000005
【図４】
2005317162.tif 000006
【図５】
2005317162.tif 000007
【図６】
2005317162.tif 000008
【図７】
2005317162.tif 000009
【図８】
2005317162.tif 000010
【図９】
2005317162.tif 000011
【図１０】
2005317162.tif 000012